(57)【要約】      （修正有）【課題】屋根の棟に、雪の自重を利用した命綱を固定する装置を設置して、雪下し時の転落事故を防止する転落防止装置を提供する。【解決手段】雪下し時の転落防止の為に、屋根の棟にへの字に曲げた平らな形状の水の入った袋１を跨いだ状態で置き、この袋の棟の頂部相当位置に棒２を立て、この棒２の先端に親命綱３を固定し、この親命綱３の適当な位置に、作業者の腰に巻いた子命綱を固定して作業できるようにし、袋１の重量とその上に積った雪の重量とで親命綱３の重しとなるよう構成し、さらに前記への字に曲げた袋１の代わりに、同じくへの字に曲げた面積１．５平方メートル程度の板を敷いたことを特徴とする。【選択図】図１
0003180513.tif 000002
【実用新案登録請求の範囲】
【請求項１】
雪下し時の転落防止の為に、屋根の棟に平らな形状の水の入った袋を置く。この袋に棒を立て、この棒に親命綱を固定する。この親命綱に、作業者の腰に巻いた子命綱を固定して作業をする。袋の重量とその上に積った雪の重量とが親命綱の「重し」となる。
【請求項２】
請求項１に記載の袋の代わりに、面積１．５平方メートル程度の板を敷く。この板に棒を立て、この棒に親命綱を固定する。この親命綱に、作業者の腰に巻いた子命綱を固定して作業する。この板の上に積った雪の重量が親命綱の「重し」となる。
【考案の詳細な説明】
【技術分野】
【０００１】  本考案は雪下し時の転落防止の為、雪の自重の利用をした装置に関するものである。
【背景技術】
【０００２】  従来の技術は、命綱を固定するには反対側の家の柱に固定するなど状況に応じて工夫しましょう、という程度であった。（非特許文献１参照）
【先行技術文献】
【非特許文献】
【０００３】
【非特許文献１】  雪害対策−内閣府防災情報のページ  雪害対策  雪害対策のあり方  チラシデータ（よくある除雪作業中の事故とその対策）  安全な除雪をするためのチェックリスト
【考案の概要】
【考案が解決しようとする課題】
【０００４】  従来は親命綱を反対側の家の柱や樹木に固定するなどしていて、煩雑で不確実であった。本考案では親命綱を簡単に、且つ確実に固定する事の出来る「重し」が常に設置されている。この親命綱に子命綱を簡単に固定する事が出来て、多発していた転落事故の防止が可能となる。
【課題を解決するための手段】
【０００５】  雪下し時の転落防止の為に、屋根の棟に平らな形状の水の入った袋を置く。この袋に棒を立て、この棒に親命綱を固定する。この親命綱に、作業者の腰に巻いた子命綱を固定して作業する。袋の重量とその上に積った雪の重量とが親命綱の「重し」となる。また、水の入った袋の代わりに面積１．５平方メートル程度の板を敷き、これに棒を立て、この棒に親命綱を固定する。この親命綱に作業者の腰に巻いた子命綱を固定して作業する。この板の上に積った雪の重量が親命綱の「重し」のとなる。この装置に依り雪下し時の転落事故を防止しようとしている。
【考案の効果】
【０００６】  従来は親命綱の固定が煩雑で不確実であっために、親命綱を固定せずに雪下し作業を行い、多くの転落事故が起こっている。本考案では屋根の棟に水の入った袋又は板を置き，それらの上に積った雪の自重をも合わせて親命綱の「重し」としている。簡単且つ確実に親命綱の固定が可能であるので転落事故を防止出来る。
【図面の簡単な説明】
【０００７】
【図１】  雪下し時の転落防止の為に、屋根の棟に平らな形状の水の入った袋を置き、この袋に親命綱を固定した状態図である。
【図２】  雪下し時の転落防止の為に、屋根の棟に面積１．５平方メートル程度の板を敷き、この板に親命綱を固定した状態図である。
【考案を実施するための形態】
【０００８】  屋根の棟に平らな形状の水の入った袋を置き、これに棒を立て、この棒に親命綱を固定する。この親命綱に、作業者の腰に巻いた子命綱を固定して作業する。また、袋の代わりに、面積１．５平方メートル程度の板を敷きこれに棒を立て、この棒に親命綱を固定する。この親命綱に、作業者の腰に巻いた子命綱を固定して作業する。
【実施例】
【０００９】  以下、添付図面に従って実施例を説明する。１は、耐久性の合成樹脂等素材にて一体化形成された袋（底面積１平方メートル程度で２００リットル程度の水が入る）で屋根の棟に設置する。２は、袋１から起立した耐久性の合成樹脂等素材または金属製の棒（高さ１メートル程度）である。３は、棒２に固定した柔軟性のある合成樹脂等素材または天然素材の綱で親命綱である。この親命綱３に、作業者の腰に巻いた子命綱（図示せず）を固定して作業する。袋１の重量とその上に積った雪の重量とが親命綱３の「重し」となって、転落を防止し安全な作業が出来る。【００１０】  ４は、袋１の代わりに、耐久性の合成樹脂等素材または金属製の面積１．５平方メートル程度の板で、屋根の棟に設置する。２は、板４から起立した耐久性の合成樹脂等素材または金属製の棒（高さ１メートル程度）である。３は、棒２に取りつける柔軟性のある合成樹脂等素材または天然素材の綱で親命綱となる。この親命綱３に、作業者の腰に巻いた子命綱（図示せず）を固定して作業する。この板４の上に積った雪の重量が親命綱３の「重し」となって、転落を防止し安全な作業が出来る。
【符号の説明】
【００１１】  １  袋
２  棒
３  親命綱
４  板
【図１】
0003180513.tif 000003
【図２】
0003180513.tif 000004
【手続補正書】
【提出日】平成24年9月5日(2012.9.5)
【手続補正１】
【補正対象書類名】実用新案登録請求の範囲
【補正対象項目名】全文
【補正方法】変更
【補正の内容】
【実用新案登録請求の範囲】
【請求項１】
雪下し時の転落防止の為に、屋根の棟にへの字に曲げた平らな形状の水の入った袋を跨いだ状態で置き、この袋の棟の頂部相当位置に棒を立て、この棒の先端に親命綱を固定し、この親命綱の適当な位置に、作業者の腰に巻いた子命綱を固定して作業できるようにし、袋の重量とその上に積った雪の重量とで親命綱の重しとなるよう構成した雪の自重を利用した転落防止装置。
【請求項２】
雪下し時の転落防止の為に、前記への字に曲げた袋の代わりに、同じくへの字に曲げた面積１.５平方メートル程度の板を敷いたことを特徴とする雪の自重を利用した転落防止装置。
【手続補正２】
【補正対象書類名】明細書
【補正対象項目名】全文
【補正方法】変更
【補正の内容】
【考案の詳細な説明】
【技術分野】
【０００１】  本考案は雪下し時の転落防止の為、雪の自重の利用をした装置に関するものである。
【背景技術】
【０００２】  従来の技術は、命綱を固定するには反対側の家の柱に固定するなど状況に応じて工夫しましょう、という程度であった。（非特許文献１参照）
【先行技術文献】
【非特許文献】
【０００３】
【非特許文献１】雪害対策―内閣府防災情報のページ                        雪害対策                          雪害対策のあり方                            チラシデータ（よくある除雪作業中の事故とその対策）                              安全な除雪をするためのチェックリスト
【考案の概要】
【考案が解決しようとする課題】
【０００４】  従来は親命綱を反対側の家の柱や樹木に固定するなどしていて、煩雑で不確実であった。本考案では親命綱を簡単に、且つ確実に固定する事の出来る重しが常に設置されている。この親命綱に子命綱を簡単に固定する事が出来て、多発していた転落事故の防止が可能となる。
【課題を解決するための手段】
【０００５】 この考案は、雪下し時の転落防止の為に、屋根の棟にへの字に曲げた平らな形状の水の入った袋を跨いだ状態で置き、この袋の棟の頂部相当位置  に棒を立て、この棒の先端に親命綱を固定し、この親命綱の適当な位置に、作業者の腰に巻いた子命綱を固定して作業できるようにし、袋の重量とその上に積った雪の重量とで親命綱の重しとなるように構成して、雪の自重を利用した転落防止装置としたものである。また、水の入った前記への字に曲げた袋の代わりに面積１.５平方メートル程度の同じくへの字に曲げた板を棟を跨いだ状態で敷き、この板の棟の頂部相当位置に棒を立て、この棒の先端に親命綱を固定し、この親命綱の適当な位置に作業者の腰に巻いた子命綱を固定して作業できるようにし、この板の上に積った雪の重量が親命綱の重しとして、この装置に依り雪下し時の転落事故を防止しようとしている。
【考案の効果】
【０００６】  従来は親命綱の固定が煩雑で不確実であっために、親命綱を固定せずに雪下し作業を行い、多くの転落事故が起こっている。本考案では屋根の棟に水の入ったへの字に曲げた袋又は板を跨いだ状態で置き,それらの上に積った雪の自重をも合わせて親命綱の重しとしている。簡単且つ確実に親命綱の固定が可能であるので転落事故を防止出来る。
【図面の簡単な説明】
【０００７】
【図１】雪下し時の転落防止の為に、屋根の棟にへの字に曲げた平らな形状の水の入った袋を跨いだ状態で置き、この袋の棟の頂部相当位置に棒を立て、この棒の先端に親命綱を固定した状態図である。
【図２】雪下し時の転落防止の為に、屋根の棟に面積１.５平方メートル程度のへの字に曲げた板を跨いだ状態で敷き、この板の棟の頂部相当位置に棒を立て、この棒の先端に親命綱を固定した状態図である。
【考案を実施するための形態】
【０００８】  屋根の棟にへの字に曲げた平らな形状の水の入った袋を跨いだ状態で置き、この袋の棟の頂部相当位置に棒を立て、この棒の先端に親命綱を固定する。この親命綱の適当な位置に、作業者の腰に巻いた子命綱を固定して作業する。また、袋の代わりに、面積１.５平方メートル程度のへの字に曲げた板を棟を跨いだ状態で敷き、この板の棟の頂部相当位置に棒を立て、この棒の先端に親命綱を固定する。この親命綱の適当な位置に、作業者の腰に巻いた子命綱を固定して作業する。
【実施例】
【０００９】  以下、添付図面に従って実施例を説明する。１は、耐久性の合成樹脂等素材にて一体化形成されたへの字に曲げた袋（底面積１平方メートル程度で２００リットル程度の水が入る）で屋根の棟に跨いだ状態で設置する。２は、袋１の棟の頂部相当位置から起立した耐久性の合成樹脂等素材または金属製の棒（高さ１メートル程度）である。３は、棒２の先端に固定した柔軟性のある合成樹脂等素材または天然素材の綱で親命綱である。この親命綱３の適当な位置に、作業者の腰に巻いた子命綱（図示せず）を固定して作業する。袋１の重量とその上に積った雪の重量とが親命綱３の重しとなって、転落を防止し安全な作業が出来る。【００１０】  ４は、袋１の代わりに、耐久性の合成樹脂等素材または金属製の面積１.５平方メートル程度のへの字に曲げた板で、屋根の棟に跨いだ状態で設置する。２は、板４の棟の頂部相当位置から起立した耐久性の合成樹脂等素材または金属製の棒（高さ１メートル程度）である。３は、棒２の先端に取りつける柔軟性のある合成樹脂等素材または天然素材の綱で親命綱となる。この親命綱３の適当な位置に、作業者の腰に巻いた子命綱（図示せず）を固定して作業する。この板４の上に積った雪の重量が親命綱３の重しとなって、転落を防止し安全な作業が出来る。
【符号の説明】
【００１１】      １  袋      ２  棒      ３  親命綱      ４  板      
【手続補正書】
【提出日】平成24年10月19日(2012.10.19)
【手続補正１】
【補正対象書類名】実用新案登録請求の範囲
【補正対象項目名】全文
【補正方法】変更
【補正の内容】
【実用新案登録請求の範囲】
【請求項１】
雪下し時の転落防止の為に、屋根の棟にへの字に曲げた平らな形状の水の入った袋を跨いだ状態で置き、この袋の棟の頂部相当位置に棒を立て、この棒の先端に親命綱を固定し、この親命綱の適当な位置に、作業者の腰に巻いた子命綱を固定して作業できるようにし、袋の重量とその上に積った雪の重量とで親命綱の重しとなるよう構成した雪の自重を利用した転落防止装置。
【請求項２】
雪下し時の転落防止の為に、前記への字に曲げた袋の代わりに、同じくへの字に曲げた面積１.５平方メートル程度の板を敷いたことを特徴とする請求項１記載の雪の自重を利用した転落防止装置